(57)【要約】【課題】  片系の異常状態の復帰直後に発生し得る変調方式の切り替えを抑制し、不要な回線帯域の低下を回避可能な無線伝送装置を提供する。【解決手段】  無線伝送装置は、現用系及び予備系の冗長構成からなり、復調側で無線回線品質を監視して回線品質が劣化した際に多値数小の変調方式に切り替え、回線品質が改善した際に多値数大の変調方式に切り替える変調方式切替制御を無線伝送フレームの周期信号に同期して行う変調方式切替型である。無線伝送装置（１ａ）は、変復調回路（１４ａ）のアラーム発動解除による状態遷移を検出しかつ予め設定された所定時間経過後まで検出したアラーム状態を保持する手段（変調方式決定回路１６ａ）と、アラーム状態が継続している系の判定多値数情報を無効化しかつアラームが発動していない系の判定多値数情報を選択する手段（変調方式決定回路１６ａ）とを有する。【選択図】      図１
2012085127.tif 000002
【特許請求の範囲】
【請求項１】
現用系及び予備系の冗長構成からなりかつ復調側で無線回線品質を監視して回線品質が劣化した際に多値数小の変調方式に切り替え、前記回線品質が改善した際に多値数大の変調方式に切り替える変調方式切替制御を無線伝送フレームの周期信号に同期して行う変調方式切替型の無線伝送装置であって、
変復調回路のアラーム発動解除による状態遷移を検出しかつ予め設定された所定時間経過後まで検出したアラーム状態を保持する手段と、前記アラーム状態が継続している系の判定多値数情報を無効化しかつアラームが発動していない系の判定多値数情報を選択する選択手段とを有することを特徴とする無線伝送装置。
【請求項２】
前記選択手段は、前記アラーム状態が正常状態に復帰してから前記所定時間経過後まで、復帰した系の判定多値数情報を無効化し、正常状態が所定時間以上継続している系の判定多値数情報を選択することを特徴とする請求項１記載の無線伝送装置。
【請求項３】
前記変調方式切替制御においてｎ（ｎ＞１）種類の変調方式を切り替えることを特徴とする請求項１または請求項２記載の無線伝送装置。
【請求項４】
上記の請求項１から請求項３のいずれかに記載の無線伝送装置を含むことを特徴とする無線伝送システム。
【請求項５】
現用系及び予備系の冗長構成からなりかつ復調側で無線回線品質を監視して回線品質が劣化した際に多値数小の変調方式に切り替え、前記回線品質が改善した際に多値数大の変調方式に切り替える変調方式切替制御を無線伝送フレームの周期信号に同期して行う変調方式切替型の無線伝送装置に用いる変調方式決定方法であって、
前記無線伝送装置が、変復調回路のアラーム発動解除による状態遷移を検出しかつ予め設定された所定時間経過後まで検出したアラーム状態を保持する処理と、前記アラーム状態が継続している系の判定多値数情報を無効化しかつアラームが発動していない系の判定多値数情報を選択する選択処理とを実行することを特徴とする変調方式決定方法。
【請求項６】
前記選択処理において、前記アラーム状態が正常状態に復帰してから前記所定時間経過後まで、復帰した系の判定多値数情報を無効化し、正常状態が所定時間以上継続している系の判定多値数情報を選択することを特徴とする請求項５記載の変調方式決定方法。
【請求項７】
前記変調方式切替制御においてｎ（ｎ＞１）種類の変調方式を切り替えることを特徴とする請求項５または請求項６記載の変調方式決定方法。
【発明の詳細な説明】
【技術分野】
【０００１】
本発明は無線伝送装置、無線伝送システム及びそれらに用いる変調方式決定方法に関し、特に無線回線を現用系及び予備系による冗長構成とする無線伝送装置における変調方式の決定方法に関する。
【背景技術】
【０００２】
ディジタル無線通信システムにおける無線伝送装置は、復調側で無線回線品質を監視し、降雨減衰等により回線品質が劣化すれば多値数小の変調方式に切り替え、回線品質が改善すれば多値数大の変調方式に切り替えるといった変調方式切替制御を無線伝送フレームの周期信号（フレームパルス）に同期して行うことにより、対向装置間の変調と復調を同一の変調方式に切り替え、ディジタル信号の無線伝送を実現しているものが知られている。
【０００３】
一方で、ディジタル無線通信システムにおける無線伝送装置は、フェーディングによる無線回線品質の劣化に備えて、無線回線を現用系と予備系の冗長構成とし、復調側で無線回線品質を監視して、フェーディングが発生した場合でも、品質の劣化していない系に無瞬断で切り替えることで回線断を救済することが一般的である。
【０００４】
変調方式切替制御と冗長構成とを組み合せた技術が、下記の特許文献１に記載されている。
【０００５】
現用系と予備系の冗長構成からなる変調方式切替型無線伝送装置では、現用系と予備系を無瞬断で切り替えられるように、両系の変調方式を合わせておく必要がある。
【０００６】
特許文献１に記載の技術では、現用系の回線品質に基づいて判定した変調方式と、予備系の回線品質に基づいて判定した変調方式とから、多値数の大小関係を比較し、予め設定された運用形態に基づいて、いずれかの変調方式を選択する。尚、想定している運用形態は、総運用時間で伝送容量を最大限確保したい場合（容量優先）と、降雨やフェーディングが生じてもビット誤りを発生させないように現用系／予備系を無瞬断で切り替えて、品質を維持したい場合（品質優先）の２種類である。一般的に、容量優先の場合は多値数大の変調方式で運用し、品質優先の場合は多値数小の変調方式で運用する。
【０００７】
また、上記に記載したような冗長構成であっても、電源停止状態等で片系（現用系または予備系）の回線断が発生した場合は、容量優先及び品質優先の設定に拠らず、正常系の回線品質に基づいて判定した変調方式を選択する。
【先行技術文献】
【特許文献】
【０００８】
【特許文献１】特開２００９−１７１２６３号公報
【発明の概要】
【発明が解決しようとする課題】
【０００９】
上述した特許文献１に記載の技術では、現用系の回線品質に基づいて判定した変調方式と、予備系の回線品質に基づいて判定した変調方式とから、多値数の大小関係を比較し、予め設定された運用形態に基づいて、いずれかの変調方式を選択する。
【００１０】
尚、想定している運用形態は、総運用時間で伝送容量を最大限確保したい場合（容量優先）と、降雨やフェーディングが生じてもビット誤りを発生させないように現用系／予備系を無瞬断で切り替えて、品質を維持したい場合（品質優先）の２種類である。一般的に、容量優先の場合は多値数大の変調方式で運用し、品質優先の場合は多値数小の変調方式で運用する。
【００１１】
特許文献１に記載の技術では、現用系と予備系との冗長構成であっても、電源停止状態等で片系（現用系または予備系）の回線断が発生した場合、容量優先及び品質優先の運用形態に拠らず、正常系の回線品質に基づいて判定した変調方式を選択する。
【００１２】
また、異常系が復帰して正常な冗長構成となった場合は、現用系の回線品質に基づいて判定した変調方式と、予備系の回線品質に基づいて判定した変調方式とから、多値数の大小関係を比較し、容量優先または品質優先の運用形態により、いずれかの変調方式を選択する。
【００１３】
しかしながら、特許文献１には、異常状態から復帰した直後の変調方式選択方法に関する記載がない。例えば、片系（現用系または予備系）の異常状態から復帰直後、復帰した系の回線品質に拠らず、復調部で選択する変調方式は初期値（多値数小の変調方式）であり、正常系の回線品質が良好で多値数大の変調方式で運用されていたとしても、品質優先で運用した場合は、初期値（多値数小の変調方式）を選択するため、多値数大の変調方式から多値数小の変調方式への切り替えが発生し、不要な回線帯域の低下を招くという問題がある。
【００１４】
そこで、本発明の目的は上記の問題点を解消し、片系（現用系または予備系）の異常状態の復帰直後に発生し得る変調方式の切り替えを抑制し、不要な回線帯域の低下を回避することができる無線伝送装置、無線伝送システム及びそれらに用いる変調方式決定方法を提供することにある。
【課題を解決するための手段】
【００１５】
本発明による無線伝送装置は、現用系及び予備系の冗長構成からなりかつ復調側で無線回線品質を監視して回線品質が劣化した際に多値数小の変調方式に切り替え、前記回線品質が改善した際に多値数大の変調方式に切り替える変調方式切替制御を無線伝送フレームの周期信号に同期して行う変調方式切替型の無線伝送装置であって、
変復調回路のアラーム発動解除による状態遷移を検出しかつ予め設定された所定時間経過後まで検出したアラーム状態を保持する手段と、前記アラーム状態が継続している系の判定多値数情報を無効化しかつアラームが発動していない系の判定多値数情報を選択する選択手段とを備えている。
【００１６】
本発明による無線伝送システムは、上記の無線伝送装置を含むことを特徴とする。
【００１７】
本発明による変調方式決定方法は、現用系及び予備系の冗長構成からなりかつ復調側で無線回線品質を監視して回線品質が劣化した際に多値数小の変調方式に切り替え、前記回線品質が改善した際に多値数大の変調方式に切り替える変調方式切替制御を無線伝送フレームの周期信号に同期して行う変調方式切替型の無線伝送装置に用いる変調方式決定方法であって、
前記無線伝送装置が、変復調回路のアラーム発動解除による状態遷移を検出しかつ予め設定された所定時間経過後まで検出したアラーム状態を保持する処理と、前記アラーム状態が継続している系の判定多値数情報を無効化しかつアラームが発動していない系の判定多値数情報を選択する選択処理とを実行している。
【発明の効果】
【００１８】
本発明は、上記のような構成及び動作とすることで、１＋１構成の変調方式切替型の無線伝送装置において、片系（現用系または予備系）の異常状態の復帰直後に発生し得る変調方式の切り替えを抑制し、不要な回線帯域の低下を回避することができるという効果が得られる。
【図面の簡単な説明】
【００１９】
【図１】本発明の実施の形態による無線伝送装置の構成例を示すブロック図である。
【図２】図１に示す変調方式決定回路の構成例を示すブロック図である。
【図３】図１に示す変調方式決定回路における入出力信号の関係を示すタイミングチャートである。
【発明を実施するための形態】
【００２０】
次に、本発明の実施の形態について図面を参照して説明する。本発明による無線伝送装置の概要について説明する。本発明による無線伝送装置は、１＋１構成の変調方式切替型の無線伝送装置であり、片系（現用系または予備系）異常状態の復帰直後に発生し得る変調方式の切り替えを抑制し、不要な回線帯域低下を回避するものである。
【００２１】
下記の図３において、変調方式決定回路１２ａ、１２ｂ（図１参照）は、片系（現用系または予備系）の異常状態が正常状態に復帰（時刻：ｔ３）してから予め設定された所定時間経過後まで、復帰した系の判定多値数情報を無効化し、正常状態が所定時間以上継続している系の判定多値数情報を選択する。
【００２２】
これによって、本発明による無線伝送装置では、復帰系の判定多値数情報が初期値（多値数小の変調方式）の場合でも、多値数大の変調方式から多値数小の変調方式への切り替えが発生せず、不要な回線帯域低下を回避する。
【００２３】
本発明による無線伝送装置は、下記の図１に示す変調方式決定回路１６ａに内蔵されるアラーム制御回路１６４ａ，１６５ａ（図２参照）が、復調アラームａ１４４，ａ１５４、または電源断アラームａ１４３，ａ１５３の解除後も所定時間が経過するまでアラーム状態を保持し、現用系アラームａ１６４または予備系アラームａ１６５として、多値数比較回路１６１ａに出力する。
【００２４】
多値数比較回路１６１ａは、現用系アラームａ１６４及び予備系アラームａ１６５を変調方式の選択条件とし、アラームの発動している系の判定した変調方式を無効化し、アラームの発動していない系の判定した変調方式を選択する。
【００２５】
以上述べたことから、本発明による無線伝送装置は、片系の異常状態から復帰した直後も、異常状態が発動している場合と同様、正常系の回線品質に基づいて判定した変調方式の選択が可能となるため、不要な回線帯域の低下を回避することが可能である。
【００２６】
図１は本発明の実施の形態による無線伝送装置の構成例を示すブロック図である。図１においては、本発明の変調方式切替型の無線伝送装置に係わる一つの実施形態を示しており、装置１ａと装置１ｂとが、現用系無線回線または予備系無線回線を介して互いに接続された状態を示している。
【００２７】
図１においては、装置１ａから装置１ｂに伝送する方向を「上り」とし、装置１ｂから装置１ａに伝送する方向を「下り」とする。ここで、装置１ａ及び装置１ｂの内部構成は同一であるため、装置１ａのみを参照して説明する。
【００２８】
無線伝送装置１ａは、ベースバンド信号処理回路１１ａと、変調方式情報多重回路１２ａと、送信分配回路１３ａと、現用系変復調回路１４ａと、予備系変復調回路１５ａと、変調方式決定回路１６ａと、受信切替回路１７ａとから構成されている。
【００２９】
ベースバンド信号処理回路１１ａは、装置外部から無線伝送装置１ａに入力されるバイポーラまたは光等の外部入力信号ａ１０１をディジタル値に変換し、送信ベースバンド信号ａ１１１として、変調方式情報多重回路１２ａに出力する。
【００３０】
変調方式情報多重回路１２ａは、ベースバンド信号処理回路１１ａから入力された送信ベースバンド信号ａ１１１に、変調方式決定回路１６ａから入力された変調方式情報ａ１６１（現用系受信無線信号ａ１０２（下り）の次の伝送に使用する変調方式の情報）を多重して送信分配回路１３ａに出力する。ここで、多重した変調方式情報ａ１６１は、主信号とともに対向装置１ｂに伝達される。
【００３１】
送信分配回路１３ａは、変調方式情報多重回路１２ａから変調方式情報ａ１６１が多重されて入力された信号を分配し、現用系送信ベースバンド信号ａ１３１として現用系変復調回路１４ａに、また、予備系送信ベースバンド信号ａ１３２として予備系変復調回路１５ａに出力する。
【００３２】
現用系変復調回路１４ａは、送信分配回路１３ａから入力された現用系送信ベースバンド信号ａ１３１を、対向無線伝送装置１ｂの変調方式情報多重回路１２ｂから現用系無線回線を介して伝達された変調方式情報ｂ１６１を基に変調を施して無線周波数帯の信号に変換し、現用系送信無線信号ａ１４１として、現用系無線回線を介して、対向無線伝送装置１ｂの現用系変復調回路１４ｂに出力する。
【００３３】
同様に、予備系変復調回路１５ａは、送信分配回路１３ａから入力された予備系送信ベースバンド信号ａ１３２を、予備系無線回線を介して伝達された上記の変調方式情報ｂ１６１を基に変調を施して無線周波数帯の信号に変換し、予備系送信無線信号ａ１５１として、予備系無線回線を介して、対向無線伝送装置１ｂの予備系変復調回路１５ｂに出力する。
【００３４】
また、現用系変復調回路１４ａは、対向無線伝送装置１ｂの現用系変復調回路１４ｂから現用系無線回線を介して入力された現用系受信無線信号ａ１０２をベースバンド周波数の信号に変換し、変調方式多重回路１２ａにて多重された変調方式情報ａ１６１を基に復調を施して、現用系受信ベースバンド信号ａ１４２として、変調方式決定回路１６ａに出力する。
【００３５】
ここで、現用系変復調回路１４ａは、上記の現用系受信無線信号ａ１０２の品質を判定して、次の下り伝送に最適な変調方式を選択し、選択した変調方式を上記の現用系受信ベースバンド信号ａ１４２に多重して出力する。
【００３６】
さらに、現用系変復調回路１４ａは、上記の現用系受信無線信号ａ１０２の品質が悪く、正しく復調できないと判定した場合に現用系アラームａ１４４を、また現用系変復調回路１４ａの電源異常を検出した場合に現用系電源断アラームａ１４３を、それぞれ変調方式決定回路１６ａに出力する。
【００３７】
同様に、予備系変復調回路１５ａは、対向無線伝送装置１ｂの予備系変復調回路１５ｂから予備系無線回線を介して入力された予備系受信無線信号ａ１０３をベースバンド周波数の信号に変換し、変調方式多重回路１２ａにて多重された変調方式情報ａ１６１を基に復調を施して、予備系受信ベースバンド信号ａ１５２として、変調方式決定回路１６ａに出力する。
【００３８】
ここで、予備系変復調回路１５ａは、上記の予備系受信無線信号ａ１０３の品質を判定して、次の下り伝送に最適な変調方式を選択し、選択した変調方式を上記の予備系受信ベースバンド信号ａ１５２に多重して出力する。
【００３９】
さらに、予備系変復調回路１５ａは、上記の予備系受信無線信号ａ１０３の品質が悪く、正しく復調できないと判定した場合に予備系アラームａ１５４を、また予備系変復調回路１５ａの電源異常を検出した場合に予備系電源断アラームａ１５３を、それぞれ変調方式決定回路１６ａに出力する。
【００４０】
変調方式決定回路１６ａは、現用系変復調回路１４ａから入力された現用系受信ベースバンド信号ａ１４２、予備系変復調回路１５ａから入力された予備系受信ベースバンド信号ａ１５２各々から、現用系変復調回路１４ａ及び予備系変復調回路１５ａ各々で多重された変調方式の情報を抽出して変調多値数を比較する機能と、現用系変復調回路１４ａ及び予備系変復調回路１５ａ各々から入力された電源断アラームａ１４３，ａ１５３、及び復調アラームａ１４４，ａ１５４を基に、アラームの発動している系の選択した変調多値数を無効とする機能とを有している。変調方式決定回路１６ａは、これらの機能により、現用系の選択した変調方式情報と予備系の選択した変調方式情報のいずれかを選択し、変調方式情報ａ１６１として変調方式情報多重回路１２ａに出力する。
【００４１】
受信切替回路１７ａは、現用系及び予備系から受信されるデータ信号の到来時間差を吸収するためのメモリ機能を有している。受信切替回路１７ａは、この機能により、現用系変復調回路１４ａから入力された現用系受信ベースバンド信号ａ１４２と、予備系変復調回路１５ａから入力された予備系受信ベースバンド信号ａ１５２とのどちらか無線回線品質の良好な系のベースバンド信号を選択し、受信ベースバンド信号ａ１７１としてベースバンド信号処理回路１１ａに出力する。
【００４２】
ベースバンド信号処理回路１１ａは、受信切替回路１７ａから入力された受信ベースバンド信号ａ１７１をアナログ値に変換し、バイポーラまたは光等の外部出力信号ａ１１２として装置外部に出力する。
【００４３】
図２は図１に示す変調方式決定回路１６ａの構成例を示すブロック図である。この図２を参照して変調方式決定回路１６ａについて説明する。
【００４４】
変調方式決定回路１６ａは、現用系判定多値数抽出回路１６２ａと、予備系判定多値数抽出回路１６３ａと、現用系アラーム制御回路１６４ａと、予備系アラーム制御回路１６５ａと、多値数比較回路１６１ａとから構成されている。
【００４５】
現用系判定多値数抽出回路１６２ａは、現用系変復調回路１４ａから入力された現用系受信ベースバンド信号ａ１４２から、復調回路１４４ａにて判定された変調多値数情報を抽出し、現用系判定多値数情報ａ１６２として多値数比較回路１６１ａに出力する。
【００４６】
同様に、予備系判定多値数抽出回路１６３ａは、予備系変復調回路１５ａから入力された予備系受信ベースバンド信号ａ１５２から、復調回路１５４ａにて判定された変調多値数情報を抽出し、予備系判定多値数情報ａ１６３として多値数比較回路１６２ａに出力する。
【００４７】
現用系アラーム制御回路ａ１６４は、現用系変復調回路１４ａから入力された現用系復調アラームａ１４４と現用系電源断アラームａ１４３とを収集し、現用系アラームａ１６３として、多値数比較回路１６１ａに出力する。同様に、予備系アラーム制御回路ａ１６５は、予備系変復調回路１５ａから入力された予備系復調アラームａ１５４と予備系電源断アラームａ１５３とを収集し、予備系アラームａ１６５として、多値数比較回路１６１ａに出力する。
【００４８】
多値数比較回路１６１ａは、現用系判定多値数抽出回路１６２ａから入力された現用系判定多値数情報ａ１６２と、予備系判定多値数抽出回路１６４ａから入力された予備系判定多値数情報ａ１６４の大小関係を比較し、いずれかの判定多値数情報を選択し、情報変調方式情報ａ１６１として、変調方式多重回路１２ａに出力する。
【００４９】
このとき、多値数比較回路１６１ａは、現用系アラーム制御回路ａ１６３から入力された現用系アラームａ１６３と、予備系アラーム制御回路ａ１６５から入力された予備系アラームａ１６５を監視し、上記の判定多値数情報の選択条件に加える。
【００５０】
品質優先の設定に基づいた変調方式決定回路１６ａの動作について、図を参照しながら説明する。
【００５１】
図２において、現用系及び予備系の復調回路１４４ａ、１５４ａにて多重される変調方式は、一般的に使用されるＱＰＳＫ（Ｑｕａｄｒａｔｕｒｅ  Ｐｈａｓｅ  Ｓｈｉｆｔ  Ｋｅｙｉｎｇ）とＱＡＭ（Ｑｕａｄｒａｔｕｒｅ  Ａｍｐｌｉｔｕｄｅ  Ｍｏｄｕｌａｔｉｏｎ）（多値数の大小関係：ＱＰＳＫ＜ＱＡＭ）とのいずれかとする。
【００５２】
また、前記復調回路１４４ａ、１５４ａは、復調アラームを検出した場合、多値数の小さいＱＰＳＫ（初期値）を受信ベースバンド信号ａ１４２、ａ１５２に多重して、変調方式決定回路１６ａに伝達し、電源断アラームが発動した場合は、受信ベースバンド信号ａ１４２、ａ１５２に多重する多値数情報は不定となる。
【００５３】
図３は図１に示す変調方式決定回路１６ａにおける入出力信号の関係を示すタイミングチャートである。この図３を参照して変調方式決定回路１６ａにおける入出力信号の関係について説明する。
【００５４】
現用系及び予備系でアラームが発動していない場合（時刻：ｔ０〜ｔ２、ｔ４以降。但し、アラーム解除直後のｔ３を除く）は、多値数比較回路１６１ａにて、現用系判定多値数情報ａ１６２と予備系判定多値数情報ａ１６３との多値数の大小関係を比較し、品質優先の設定に基づいて小さい多値数を選択し、変調方式情報ａ１６１として、変調方式情報多重回路１２ａに出力する。
【００５５】
予備系アラームａ１６５のみが発動（または、現用系アラームａ１６４のみが発動）している場合（時刻：ｔ２〜ｔ３）は、現用系判定多値数情報ａ１６２と予備系判定多値数情報ａ１６３との大小関係に拠らず、必ず、予備系判定多値数情報ａ１６３を無効化して現用系多値数情報ａ１６２を選択し（または、現用系判定多値数情報ａ１６２を無効化して予備系多値数情報ａ１６３を選択し）、変調方式情報ａ１６１として、変調方式情報多重回路１２ａに出力する。
【００５６】
また、現用系アラームａ１６４及び予備系アラームａ１６５が同時刻に発動している場合は、多値数の低いＱＰＳＫ（初期値）を選択（両系の判定多値数情報ａ１６２、ａ１６３を無効化）し、変調方式情報多重回路１２ａに出力する。
【００５７】
予備系アラームａ１６５が解除（または、現用系アラームａ１６４が解除）された場合（時刻：ｔ３〜ｔ４）は、予備系の復調回路１５４ａ（または、現用系の復調回路１４４ａ）にて多重される変調方式は初期値のＱＰＳＫである。
【００５８】
上述した本発明に関連する方式では、現用系の復調回路１４４ａ（または、予備系の復調回路１５４ａ）でＱＡＭが判定されたとしても、多値数比較回路１６１ａが選択する変調方式は、予備系の選択した（または現用系の選択した）多値数小のＱＰＳＫとなる。これによって、本発明に関連する方式では、予備系アラーム解除前まで（または、現用系アラーム解除前まで）、ＱＡＭで正常に運用されていたにも関わらず、ＱＰＳＫに切り替えることで、不要な回線帯域の低下を招くことになる。
【００５９】
しかしながら、本実施の形態による方式では、予備系アラームａ１６５が解除（または、現用系アラームａ１６４が解除）された場合、予備系復調アラームａ１５４または予備系電源断アラームａ１５３の状態遷移（または、現用系復調アラームａ１４４または現用系電源断アラームａ１４３の状態遷移）を検出し、所定時間（時刻：ｔ３〜ｔ４）を経過するまでは、アラーム発動状態を保持する。
【００６０】
これによって、時刻ｔ２と同様、多値数比較回路１６１ａは、予備系判定多値数情報ａ１６３を無効化して現用系判定多値数情報ａ１６２を選択（または、現用系判定多値数情報ａ１６２を無効化して予備系判定多値数情報ａ１６３を選択）し、変調方式情報ａ１６１を出力する。
【００６１】
このように、本実施の形態では、変調方式切替型無線伝送装置の変調方式決定回路に内蔵されるアラーム制御回路が、アラーム発動解除後も所定の時間、アラーム状態を保持する手段を有するため、１＋１構成の変調方式切替型の無線伝送装置において、片系（現用系または予備系）の異常状態の復帰直後に発生し得る変調方式の切り替えを抑制し、不要な回線帯域の低下を回避することができる。
【００６２】
上述した本発明の実施の形態では、２つの変調方式（ＱＰＳＫ及びＱＡＭ）の切り替えについて説明したが、一般的には、ｎ（ｎ＞１）種類の変調方式を切り替えることも可能である。
【符号の説明】
【００６３】
１ａ，１ｂ  無線伝送装置
１１ａ，１１ｂ  ベースバンド信号処理回路
１２ａ，１２ｂ  変調方式情報多重回路
１３ａ，１３ｂ  送信分配回路
１４ａ，１４ｂ  現用系変復調回路
１５ａ，１５ｂ  予備系変復調回路
１６ａ，１６ｂ  変調方式決定回路
１７ａ，１７ｂ  受信切替回路
１４１ａ，１４１ｂ  現用系変調回路
１４２ａ，１４２ｂ  現用系送信回路
１４３ａ，１４３ｂ  現用系受信回路
１４４ａ，１４４ｂ  現用系復調回路
１４５ａ，１４５ｂ  現用系電源監視回路
１５１ａ，１５１ｂ  予備系変調回路
１５２ａ，１５２ｂ  予備系送信回路
１５３ａ，１５３ｂ  予備系受信回路
１５４ａ，１５４ｂ  予備系復調回路
１５５ａ，１５５ｂ  予備系電源監視回路
１６１ａ  多値数比較回路
１６２ａ  現用系判定多値数抽出回路
１６３ａ  予備系判定多値数抽出回路
１６４ａ  現用系アラーム制御回路
１６５ａ  予備系アラーム制御回路
ａ１０１，ｂ１０１  バイポーラまたは光等の外部入力信号
ａ１０２，ｂ１０２  現用系受信無線信号
ａ１０３，ｂ１０３  予備系受信無線信号
ａ１１１，ｂ１１１  送信ベースバンド信号
ａ１１２，ｂ１１２  バイポーラまたは光等の外部出力信号
ａ１３１，ｂ１３１  現用系送信ベースバンド信号
ａ１３２，ｂ１３２  予備系送信ベースバンド信号
ａ１４１，ｂ１４１  現用系送信無線信号
ａ１４２，ｂ１４２  現用系受信ベースバンド信号
ａ１４３，ｂ１４３  現用系電源断アラーム
ａ１４４，ｂ１４４  現用系復調アラーム
ａ１５１，ｂ１５１  予備系送信無線信号
ａ１５２，ｂ１５２  予備系受信ベースバンド信号
ａ１５３，ｂ１５３  予備系電源断アラーム
ａ１５４，ｂ１５４  予備系復調アラーム
ａ１６１，ｂ１６１  変調方式情報
ａ１６２  現用系判定多値数情報
ａ１６３  予備系判定多値数情報
ａ１６４  現用系アラーム
ａ１６５  予備系アラーム
ａ１７１，ｂ１７１  受信ベースバンド信号
【図１】
2012085127.tif 000003
【図２】
2012085127.tif 000004
【図３】
2012085127.tif 000005